(57)【要約】      （修正有）【課題】加熱するために髪との接触を最大化し、髪のもつれをほどくのを容易にし、頭皮をもむのに適した新規なブラシ毛構造を有する加熱髪用パドルを提供する。【解決手段】加熱髪用パドル１０は、柄部１２と、柄部１２から延びるブラシ頭部１４とを備え、整え中において髪の毛に接触するための大きな表面積を達成すると同時に、髪の毛が通り横断しなければならない曲がりくねった通路を形成することで、髪の整え効果を強める、新規なブラシ毛構造を備える。【選択図】図１
0003210149.tif 000002
【実用新案登録請求の範囲】
【請求項１】
ブラシ頭部の長さに沿って延びる中心の長手ｘ軸線と、前記ブラシ頭部の幅に沿って延びる前記長手ｘ軸線に直交するｙ軸線と、前記ブラシ頭部の高さに沿って延びるｚ軸線と、を形成する前記ブラシ頭部と、
前記ブラシ頭部から垂れ下がる複数の第一ブラシ毛であって、各前記第一ブラシ毛の前記ｙ軸線に沿う増大された表面積を提供するために、前記長手ｘ軸線に沿う対応寸法より大きな前記ｙ軸線に沿う寸法を有し、熱伝導性材料から成り立つ前記第一ブラシ毛と、
前記ブラシ頭部から垂れ下がる複数の第二ブラシ毛であって、前記第一ブラシ毛の前記ｚ軸線に沿う対応寸法より大きな前記ｚ軸線に沿う寸法を有する前記第二ブラシ毛と、
前記ブラシ頭部から垂れ下がる複数の第三ブラシ毛であって、前記第二ブラシ毛より強固である前記第三ブラシ毛と、
熱を前記第一ブラシ毛に伝達し、それにより、前記第一ブラシ毛が髪の毛に熱を伝達するように、前記第一ブラシ毛に熱的に連結される加熱器と、
を備える加熱髪用パドル。
【請求項２】
前記第一ブラシ毛、前記第二ブラシ毛、及び、前記第三ブラシ毛は、それぞれ、前記ブラシ頭部の前記長手軸線に沿って延びるそれぞれの複数の第一列、第二列、及び、第三列を形成するように配置される、請求項１に記載の加熱髪用パドル。
【請求項３】
前記第一ブラシ毛は、楕円形、長円形、又は、長方形の断面の一つを有している請求項２に記載の加熱髪用パドル。
【請求項４】
前記第一ブラシ毛はアルミニウムを含み、前記第二ブラシ毛はシリコンを含み、前記第三ブラシ毛はナイロンを含む、請求項３に記載の加熱髪用パドル。
【請求項５】
前記中心長手ｘ軸線の各側の半径方向外側における前記第一ブラシ毛の内側第一列と、前記第一ブラシ毛の前記内側第一列のそれぞれの半径方向外側における前記第二ブラシ毛の内側第二列と、前記第二ブラシ毛の前記内側第二列のそれぞれの半径方向外側における前記第一ブラシ毛の外側第一列と、前記第一ブラシ毛の前記外側第一列のそれぞれの半径方向外側における前記第二ブラシ毛の外側第二列と、前記第二ブラシ毛の前記外側第二列のそれぞれの半径方向外側における前記第三ブラシ毛の外側第三列と、を備える、請求項２に記載の加熱髪用パドル。
【請求項６】
前記中心長手ｘ軸線の各側における前記第一ブラシ毛の前記内側第一列は、互いに関して長手方向にずらされている、請求項５に記載の加熱髪用パドル。
【請求項７】
中心の前記長手ｘ軸線の各側における前記第一ブラシ毛の前記外側第一列は、互いに関して長手方向にずらされている、請求項６に記載の加熱髪用パドル。
【請求項８】
前記第一ブラシ毛の前記内側第一列は、中心の前記長手ｘ軸線の反対側の前記第一ブラシ毛の前記外側第一列と長手方向において整列されている、請求項７に記載の加熱髪用パドル。
【請求項９】
前記ブラシ毛の前記第一列が固定される基部であって、前記第二ブラシ毛の前記第二列を受け入れるための複数の穴を形成する前記基部を備える、請求項５に記載の加熱髪用パドル。
【請求項１０】
前記基部は、熱伝導性材料を含む、請求項９に記載の加熱髪用パドル。
【請求項１１】
前記基部及び前記第一ブラシ毛の前記第一列は一体に形成される、請求項１０に記載の加熱髪用パドル。
【請求項１２】
髪へ荷電イオンを向けるために前記基部を通り延びるイオン孔を備える、請求項５に記載の加熱髪用パドル。
【考案の詳細な説明】
【技術分野】
【０００１】
本考案は、整髪装置に関し、特に、加熱するために髪との接触を最大化し、髪のもつれをほどくのを容易にし、頭皮をもむのに適した新規なブラシ毛構造を有する加熱髪用パドル（Ｈｅａｔｅｄ  Ｈａｉｒ  Ｐａｄｄｌｅ）に関する。
【背景技術】
【０００２】
髪用ブラシ、くし、及び、髪用ドライヤを含む技術において、様々な整髪装置が一般に知られている。このような整髪装置の例が、通常譲渡された米国の特許第７３０８８９９号、及び、意匠特許第５０８７７７号、第５１４３２９号、及び、第５４５５７０号に開示されており、これら各開示の内容全体は、ここに参考で援用される。
【考案の概要】
【０００３】
したがって、本開示は、整髪装置又はブラシにおけるさらなる改良に関する。一実施形態により、加熱髪用パドルは、ブラシ頭部の長さに沿って延びる中心長手ｘ軸線と、ブラシ頭部の幅に沿って延びて長手ｘ軸線に直交するｙ軸線と、ブラシ頭部の高さに沿って延びるｚ軸線と、を形成するブラシ頭部を備える。複数の第一ブラシ毛がブラシ頭部から垂れ下がる。第一ブラシ毛は、各第一ブラシ毛のｙ軸線に沿って髪の毛に接触する増大された表面積を提供するために、ｘ軸線に沿う対応寸法より大きなｙ軸線に沿う寸法を有する。第一ブラシ毛は、熱伝導性材料から成り立つ。複数の第二ブラシ毛がブラシ頭部から垂れ下がる。第二ブラシ毛は、頭皮の熱伝導性第一ブラシ毛との接触の可能性を最少化するために、第一ブラシ毛のｚ軸線に沿う対応寸法より大きなｚ軸線に沿う寸法を有する。複数の第三ブラシ毛がブラシ頭部から垂れ下がる。第三ブラシ毛は、第二ブラシ毛より強固であり、髪の毛を大まかに真っ直ぐにする効果を提供する。加熱器は、熱を第一ブラシ毛へ伝達するために第一ブラシ毛へ熱的に連結され、それにより、第一ブラシ毛は髪の毛へ熱を伝達する。
【０００４】
第一、第二、及び、第三ブラシ毛は、それぞれ、ブラシ頭部の長手軸線に沿って延びるそれぞれの複数の第一、第二、及び、第三列を形成するように配置されても良い。第一ブラシ毛は、楕円形、長円形、又は、長方形の断面の一つを有しても良い。第一ブラシ毛はアルミニウムを含んで良く、第二ブラシ毛はシリコンを含んで良く、第三ブラシ毛はナイロンを含んで良い。
【０００５】
本加熱髪用パドルは、中心長手軸線の各側の半径方向外側における第一ブラシ毛の内側第一列と、第一ブラシ毛の内側第一列のそれぞれの半径方向外側における第二ブラシ毛の内側第二列と、第二ブラシ毛の内側第二列のそれぞれの半径方向外側における第一ブラシ毛の外側第一列と、第一ブラシ毛の外側第一列のそれぞれの半径方向外側における第二ブラシ毛の外側第二列と、第二ブラシ毛の外側第二列のそれぞれの半径方向外側における第三ブラシ毛の外側第三列と、を備えても良い。
【０００６】
中心長手軸線の各側における第一ブラシ毛の内側第一列は、互いに関して長手方向にずらされても良い。中心長手軸線の各側における第一ブラシ毛の外側第一列は、互いに関して長手方向にずらされても良い。幾つかの実施形態において、第一ブラシ毛の内側第一列は、中心長手軸線の反対側の第一ブラシ毛の外側第一列と長手方向において整列されている。
【０００７】
本加熱髪用パドルは、ブラシ毛の第一列が固定される基部を備えても良い。基部は、第二ブラシ毛の第二列を受け入れるための複数の穴を形成しても良い。基部は、熱伝導性材料から成り立っても良い。基部及び第一ブラシ毛の第一列は、一体に形成されても良い。
【０００８】
本加熱髪用パドルは、さらに、髪へ荷電イオンを向けるために基部を通り延びるイオン孔を備えていても良い。
【０００９】
本開示の加熱髪用パドルは、整え中において髪の毛に接触するための大きな表面積を達成すると同時に、髪の毛が通り横断しなければならない曲がりくねった通路も形成して、それにより、髪が延長された期間の間において熱処理を受けることで、整え効果を強める、新規なブラシ毛構造を提供する。
【００１０】
本開示の他の利点は、以下の記述によって理解されるであろう。
【００１１】
本開示の様々な実施形態は、図面を参照して以下に述べられる。
【図面の簡単な説明】
【００１２】
【図１】本開示の原理による加熱髪用パドルの斜視図である。
【図２】加熱髪用パドルの分解斜視図である。
【図３】加熱髪用パドルの平面図である。
【図４】図３の線４−４に沿って取り去られた断面図である。
【図５】加熱髪用パドルを後ろから見た軸方向図である。
【図６】加熱髪用パドルを前から見た軸方向図である。
【図７】加熱髪用パドルの平面図である。
【考案を実施するための形態】
【００１３】
同じ参照番号が幾つかの図面を通して同様な構成部分を同定する図面を参照すると、図１は、本開示の原理による加熱髪用パドル１０を例示する。この実施形態において、加熱髪用パドル１０は、髪用パドルを横断する髪の毛へ熱、及び、選択的に、あるイオン濃度を与える能力を有する髪用ブラシ又はくしの形状の整髪装置である。
【００１４】
髪用パドル１０は、柄部１２と、柄部１２から延びるブラシ頭部１４とを備え、ブラシ頭部は、柄部１２に接続されても、又は、一体に形成されても良い。柄部１２は、使用者によってつかまれることを容易にするような外形表面を形成しても良い。ブラシ頭部１４は、ブラシ頭部１４の長さに沿って延びる中心長手ｘ軸線と、ブラシ頭部１４の幅に沿って延びｘ軸線に直交する直交ｙ軸線と、ブラシ頭部１４の高さに沿って延びるｚ軸線と、を形成する。
【００１５】
図１と共に図２を参照すると、髪用パドル１０は、柄部１２及びブラシ頭部１４を形成するように互いに連結されるハウジング半分部１８を備える。ハウジング半分部１８は、固定具、又は、ねじ等を使用して接続されても良い。髪用パドル１０は、さらに、三つのブラシ毛構成部分、すなわち、第一ブラシ毛構成部分２０、第二ブラシ毛構成部分２２、及び、第三ブラシ毛構成部分２４を備える。これらブラシ毛構成部分２０、２２、及び、２４は、より詳細に以下に述べられるように、整髪して髪の毛へ熱を与えるのに協働する。髪用パドル１０は、さらに、髪の毛へのあるイオン濃度の分配のための一対のイオン孔２８を有するイオン発生器２６と、加熱器３０と、を備える。髪用パドル１０は、さらに、髪用パドル１０の作動を制御するためのソフトウエア及びロジックの少なくとも一方を有する回路基盤３２を備える。一つ以上のスイッチ３４が、イオン発生器２６及び加熱器３０を含む髪用パドル１０の構成部分の作動を制御するために、柄部１２に取り付けられても良い。電気コード「ｅ」（図１）は、柄部１２へ連結され、髪用パドル１０の構成部分へ電力供給するための回路基盤３２との電気的接続である。択一的又は選択的に、髪用パドル１０は、髪用パドル１０の構成部分へ電力供給するために、電池、例えば再充電可能な電池を備えても良い。
【００１６】
図２と共に図３から図４を参照すると、第一ブラシ毛構成部分２０は、第一基部３６と、第一基部３６から外方向に延びて、中心長手軸線ｘに関して直線列、例えば四つの直線列に沿って長手方向に配置された四組の第一ブラシ毛３８と、を備える。第一基部３６は、加熱器３０と熱的に連通され、第一ブラシ毛３８へ熱エネルギを伝達する。一実施形態において、第一基部３６及び第一ブラシ毛３８は、アルミニウム又は鋼のような熱伝導性材料から一体に形成される。第一ブラシ毛３８のそれぞれは、中心長手ｘ軸線に沿う寸法より大きな直交ｙ軸線に沿う寸法を形成する。例えば、第一ブラシ毛３８は、徐々に先細になる又はブラシ頭部１４から離れ寸法が細くなる全体的に楕円形、長方形、又は、長円形の断面形状を形成しても良い（図４）。楕円形、長方形、又は、長円形の形状は、ブラシ頭部１４が髪の毛を通るときに、髪の毛に接触する表面積を増大する。加えて、第一ブラシ毛３８は、髪の毛へ熱を分配するために第一基部３６を通して加熱器３０と熱的に連通される。第一ブラシ毛３８の二つの離間する列が、中心長手軸線ｘの片側、例えば、中心長手軸線ｘの左側にあり、第一ブラシ毛３８の二つの離間する列は、中心長手軸線ｘの他側、例えば、中心長手軸線ｘの右側に配置される。こうして、この配置は、中心長手軸線ｘの左側及右側の第一ブラシ毛３８の内側第一列４０ｉと、中心長手軸線ｘの左側及右側の第一ブラシ毛３８の外側第一列４０ｏと、を形成する。図５から図６は、内側第一列４０ｉ及び外側第一列４０ｏの配置を例示する。
【００１７】
図３に最も良く描かれているように、内側第一列４０ｉは、互いに関して整列されておらず、又は、長手方向においてずらされており、外側第一列４０ｏは、互いに関して整列されておらず、又は、長手方向においてずらされており、しかしながら、中心長手軸線ｘの左側の内側第一列４０ｉは、中心長手軸線ｘの右側の外側第一列４０ｏと長手方向において整列され、中心長手軸線ｘの右側の内側第一列４０ｉは、中心長手軸線ｘの左側の外側第一列４０ｏと長手方向において整列される。この配置は、髪の毛が、さらに、より長い期間の間において加熱を受け、それにより、髪の毛の整え効果も高める一方で、髪の毛が第一ブラシ毛３８の交互にずれた及び整列された組によって形成される曲りくねった通路を通過することを引き起こすことによって、髪のブラシかけ又はくしかけ効果を容易にする。
【００１８】
図２から図４を参照すると、第二ブラシ毛構成部分２２は、第二基部４２と、第二基部４２から外方向に延びて、中心長手軸線ｘに沿って延びる直線列、例えば四つの直線列に沿って配置された四組の第二ブラシ毛４４と、を備える。第二ブラシ毛４４のそれぞれは、ｚ軸線に沿う第一ブラシ毛３８の対応寸法より大きなｚ軸線に沿う寸法を形成する。こうして、第二ブラシ毛４４は、加熱された第一ブラシ毛３８が対象の頭皮に接触することを防止するように形成される。第二ブラシ毛４４は、第一ブラシ毛３８より柔軟性があり、髪の毛をそろえ及び整える一方でもつれを防止するように曲がることができる。実施形態において、第二ブラシ毛４４は、円形断面寸法を形成し、円錐先端部４４ｔを形成するようにブラシ頭部１４から離れ徐々に先細であっても良い。第二ブラシ毛構成部分２２の第二ブラシ毛４４は、第一ブラシ毛構成部分２０の第一基部３６の対応する寸法及び位置の穴４６を通り延びる（図２）。
【００１９】
図３、図５、及び、図６に最も良く描かれているように、第二ブラシ毛４４の二つの離間する列が、中心長手軸線ｘの片側、例えば、中心長手軸線ｘの左側にあり、第二ブラシ毛４４の二つの離間する列は、中心長手軸線ｘの他側、例えば、中心長手軸線ｘの右側に配置される。こうして、この配置は、中心長手軸線ｘの左側及右側において第一ブラシ毛３８の内側第一列４０ｉと外側第一列４０ｏとの間に配置された第二ブラシ毛４４の内側第二列４８ｉと、中心長手軸線ｘの左側及右側において第一ブラシ毛３８の外側第一列４０ｏの半径方向外側に配置された第二ブラシ毛４４の外側第二列４８ｏと、を形成する。内側第二列４８ｉ及び外側第二列４８ｏは、それぞれ、互いに長手方向において整列される。
【００２０】
第三ブラシ毛構成部分２４は、例えばブラシ頭部１４の外側縁に沿って、第一及び第二ブラシ毛３８、４４の第一及び第二列の半径方向外側に配置された第三ブラシ毛５０の二列を備える。一方の列５２は中心長手軸線ｘの左側にあり、他方の列５２は右側にある。図２に最も良く描かれているように、各列は、ハウジング半分部１８内の穴５６を通り延びる第三ブラシ毛５０を有する基部５４から垂れ下がる。第三ブラシ毛５０は、円形断面であって、球根状先端５０ｂを備えて良い。第三ブラシ毛５０は、強固なポリマ材料から製造され、第二ブラシ毛４４より小さな断面又は直径を有している。これらの特徴は、第三ブラシ毛５０が、第一及び第二ブラシ毛３８、４４の通過を容易に開始するように髪をより効果的に積極的に分けることを可能とする。
【００２１】
図７を参照すると、対象の髪を整える使用中に、髪の毛の房「ｈ」は、最初に、固い少なくとも一部のために、髪を大まかに真っ直ぐにする効果を行う第三ブラシ毛５０によって係合される。髪の房「ｈ」がブラシ頭部１４を横断して通過するときに、第二柔軟ブラシ毛４４は、もつれを最少化して第一ブラシ毛３８を通して髪の房を案内する。上記したように、第一ブラシ毛３８によって提供される曲りくねった通路と共に大きくされた楕円形、長方形、又は、長円形の形状は、髪の毛が加熱を受ける期間を増大する一方で、髪の房「ｈ」に接触する大きな表面積を達成する。加えて、イオン孔２８は、イオンバランスを回復し、光沢感及びさらに滑らかな髪をもたらすために、髪の毛へ荷電粒子を向ける。
【００２２】
第一、第二、及び、第三ブラシ毛３８，４４，５０のいずれかは、限定されないが、当業者によって認められたような髪の手入れ製品に一般的に使用される他の添加剤と共に、アルガン油、モイスチャライザ、水和剤、浸透剤、保存剤、乳化剤、自然又は合成油、溶剤、界面活性剤、洗浄剤、ゲル化剤、柔軟化剤、老化防止剤、芳香剤、賦形剤、濃厚剤、磨き剤、臭気吸収剤、染料、着色剤、化粧粉、粘度調整剤、緩衝剤、保護剤、ｐＨ調整剤、キレート剤、湿潤剤、調節剤、光輝剤、雲母、鉱物、ケイ素、ポリフェノール、日焼け止め剤、植物薬、及び、これらの組み合わせ、を含む毛髪処理溶剤又は塗布剤を有しても良い。
【００２３】
本開示の例示的な実施形態が添付図面を参照してここに述べられたけれども、上述、開示、及び、図面は、限定としてではなく、特定の実施形態の単なる例示として解釈されるべきである。それにより、開示がこれら明確な実施形態を限定することはなく、様々な他の変更及び変形が開示の範囲又は精神から逸脱することなく当業者によってもたらされるかもしれないことは、理解されることである。
【図１】
0003210149.tif 000003
【図２】
0003210149.tif 000004
【図３】
0003210149.tif 000005
【図４】
0003210149.tif 000006
【図５】
0003210149.tif 000007
【図６】
0003210149.tif 000008
【図７】
0003210149.tif 000009